(57)【要約】【課題】  主バトンに渡しバトンを架け渡してグリットを形成することで、照明器具などの吊持場所を増やすときに、主バトンに対する渡しバトンの連繋状態を容易に保障し得て、その安全な利用状態を実現し得るようにする。【解決手段】  天井面に対向する水平面位置で一方向に配列される既設の多数の主バトン１と、この主バトン１に対してクロスする方向たる他方向に配列される多数の渡しバトン２とで照明器具Ｓなどを吊持するグリットＧを形成してなるバトン装置において、主バトン１がその上方に配在されるガイド部材３に吊持されてなると共に、ガイド部材３がその上面に感圧手段４を有してなり、かつ、渡しバトン２がその両端部を感圧手段４に接触させながらガイド部材３に分離可能に架け渡されてなる。【選択図】        図１
2006318727.tif 000002
【特許請求の範囲】
【請求項１】
天井面に対向する水平面位置で一方向に配列される既設の多数の主バトンと、この主バトンに対してクロスする方向たる他方向に配列される多数の渡しバトンとで照明器具などを吊持するグリットを形成してなるバトン装置において、主バトンがその上方に配在されるガイド部材に吊持されてなると共に、ガイド部材がその上面に感圧手段を有してなり、かつ、渡しバトンがその両端部を感圧手段に接触させながらガイド部材に分離可能に架け渡されてなることを特徴とするバトン装置
【請求項２】
感圧手段がテープスイッチからなる請求項１に記載のバトン装置
【請求項３】
ガイド部材が上端面に感圧手段の定着を許容する平坦面を有しながら天井面などから垂下される吊り部材に吊持されてなる請求項１に記載のバトン装置
【発明の詳細な説明】
【技術分野】
【０００１】
この発明は、バトン装置に関し、特に、主バトンと渡しバトンとでグリットを形成するバトン装置の改良に関する。
【背景技術】
【０００２】
一般に、劇場などの舞台上方の天井近くには、パイプ体などからなるバトンが同列にして概ね水平に多数配在されていて、このバトンに照明器具などを吊持させるとするバトン装置が多用されている。
【０００３】
そして、吊持される照明器具などが多数になるとき、たとえば、特許文献１には、吊持場所を増やすために、バトンに別途にフレーム体を吊持させて、このフレーム体に照明器具などを吊持させるとするバトン装置が開示されている。
【０００４】
それゆえ、この特許文献１に開示されているバトン装置によれば、言わば必要なときにバトンにフレーム体を吊持させ、不要なときには、舞台の脇に隣設される袖舞台などの所定の格納場所にフレーム体を格納することで、常時バトンにフレーム体を吊持させておく場合に比較して、効果的な利用が可能になる。
【特許文献１】特開平９−２６５８０４号公報（特許請求の範囲  請求項１，段落０００２，同０００４，同０００５，同０００９から同００１２，図１，図２）
【発明の開示】
【発明が解決しようとする課題】
【０００５】
しかしながら、上記した特許文献１に開示のバトン装置を劇場における舞台上方の天井に近い空間でなく、たとえば、スタジオ内の天井に近い空間に設けるのは、困難になると指摘される可能性がある。
【０００６】
すなわち、たとえば、テレビ放送用のスタジオでも照明器具を天井に近い空間に配在させて必要な照明を確保するが、このテレビ放送用のスタジオの多くは、上記の空間が劇場における舞台上方の空間に比較して、天井が低い分低く、すなわち、狭く形成されている。
【０００７】
それゆえ、このスタジオにおける天井に近い空間に上記した特許文献１に開示のバトン装置を設けようとしても、いわゆる空間が足りなくなり、その具現化が困難とされることになる。
【０００８】
そこで、スタジオにおける天井に近い空間に既設のバトンに、すなわち、天井面に近隣するように対向する水平面位置で一方向に概ね水平に配列される多数の主バトンと、この主バトンにクロスする方向たる他方向に配列される多数の予備となる渡しバトンとで照明器具などを吊持するグリットを形成するとするバトン装置が提案されているが、このとき、渡しバトンは、いわゆる分離可能に連繋されるとしていて、必要に応じて必要な場所に配在されるとしている。
【０００９】
それゆえ、この主バトンと渡しバトンとでグリットを形成するバトン装置にあっては、渡しバトンの本数を増減し、その配在場所を選択することで、必要な照明器具などの増減を実現し得ることになる。
【００１０】
ただ、このときに、渡しバトンが所定の通りに配在されているか、すなわち、照明器具などを吊持し得る状態に維持されているかは、バトン装置の下方からの視認に頼るからその確認が容易でなく、仮に、渡しバトンが所定の通りに連繋されていない場合には、渡しバトンが連繋場所から外れて多数の照明器具などを落下させることになる危惧がある。
【００１１】
この発明は、このような現状を鑑みて創案されたものであって、その目的とするところは、主バトンと渡しバトンとでグリットを形成して照明器具などの吊持場所を増やす場合に、渡しバトンの連繋状態を容易に確認し得るようにして、渡しバトンの安全な利用状態を実現でき、その汎用性の向上を期待するのに最適となるバトン装置を提供することである。
【課題を解決するための手段】
【００１２】
上記した目的を達成するために、この発明によるバトン装置の構成を、基本的には、天井面に対向する水平面位置で一方向に配列される既設の多数の主バトンと、この主バトンに対してクロスする方向たる他方向に配列される多数の渡しバトンとで照明器具などを吊持するグリットを形成してなるバトン装置において、主バトンがその上方に配在されるガイド部材に吊持されてなると共に、ガイド部材がその上面に感圧手段を有してなり、かつ、渡しバトンがその両端部を感圧手段に接触させながらガイド部材に分離可能に架け渡されてなるとする。
【００１３】
そして、より具体的には、感圧手段がテープスイッチからなるとし、また、ガイド部材が上端面に感圧手段の定着を許容する平坦面を有しながら天井面などから垂下される吊り部材に吊持されてなるとする。
【発明の効果】
【００１４】
それゆえ、この発明にあっては、主バトンと渡しバトンとで照明器具などを吊持するグリッドを形成するとき、渡しバトンが主バトンを吊持するガイド部材に架け渡され、このとき、ガイド部材に配在の感圧手段が渡しバトンをこのガイド部材に架けたことを感知するから、これを知ることによって、たとえば、照明器具などが吊持されているバトン装置の下方から渡しバトンが所定の通りにガイド部材に架け渡されているか否かを技術者によるなどして確認する必要がなくなる、すなわち、技術者などの人の目に頼って確認する必要がなくなる。
【００１５】
その結果、この発明によれば、主バトンと渡しバトンとでグリットを形成して照明器具などの吊持場所を増やすときに、渡しバトンが確実に架け渡されている状態を容易に確認できて、渡しバトンの安全な利用状態を実現でき、バトン装置の汎用性の向上を期待するのに最適となる。
【発明を実施するための最良の形態】
【００１６】
以下に、図示した実施形態に基づいて、この発明を説明するが、この発明によるバトン装置は、たとえば、テレビ放送用のスタジオにおける天井面に近い空間に配在されるとするもので、図１に示すように、主バトン１と渡しバトン２とで照明器具Ｓなどを吊持するグリット（格子状体）Ｇを形成するとし、このとき、図示するところでは、ガイド部材３と感圧手段４とを有してなるとしている。
【００１７】
少し説明すると、主バトン１は、照明器具Ｓなどの吊持を可能にする適宜の長さと機械的強度を有する、たとえば、パイプ体などからなり、図示しない天井面に下方から近隣しながら対向することになる水平面位置で概ね水平にして一方向に多数配列されてなるとしている。
【００１８】
このとき、この主バトン１は、詳しくは図示しないが、多くの場合に、スタジオの天井面に近い空間にあって水平方向に言わば目一杯に配在されるとしており、その意味では、後述する渡しバトン２に比較して長尺に形成されてなるとしている。
【００１９】
それに対して、渡しバトン２は、基本的には、上記の主バトン１と同等に構成されていて、照明器具Ｓなどの吊持を可能にするのはもちろんであるが、主バトン１に対しては、これにクロスする方向たる他方向に概ね水平に多数配列されてなるとしている。
【００２０】
このことからして、この渡しバトン２は、長さとしては、上記した主バトン１によりも遥かに短尺に形成されるとしており、特に、架け渡す場所を変更する盛り替え作業を容易にするように、たとえば、建物における基本的な寸法となる９００ｍｍを基準として、その整数倍となる長さなどに形成されるであろう。
【００２１】
もっとも、この発明にあって、渡しバトン２は、主バトン１に直接連繋されるのではなく、後述するガイド部材３に架け渡されるようにして連繋するとしている。
【００２２】
すなわち、上記したように主バトン１は、照明器具Ｓなどを吊持するから、また、その際に、この主バトン１におけるどの位置に照明器具Ｓなどが吊持されるかは不明であるから、この主バトン１に渡しバトン２を直接架け渡すようにして連繋するとの選択は、時として実現できない場合が想定されることになり、現実的でないと言い得るからである。
【００２３】
一方、上記した主バトン１は、この発明にあって、この主バトン１の上方に配在されるガイド部材３に吊持されてなるとしており、しかも、このガイド部材３が天井面から垂下される吊り部材５に吊持されてなるとしている。
【００２４】
このとき、図示するところでは、図２にも示すように、吊り部材５は、バトン線樋６を吊持するとしており、このバトン線樋６にガイド部材３が吊持されるとしている。
【００２５】
また、吊り部材５は、天井面から垂下されるとしているが、これに代えて、図示しないが、たとえば、天井面の下方に配在される簀の子から垂下されるとしても良いことはもちろんである。
【００２６】
このように、吊り部材５が簀の子から垂下されるとする場合には、図示しないが、この発明によるバトン装置を劇場の舞台の上方となる天井に近い空間に配在することを可能にする、すなわち、劇場の舞台の上方に具現化しても良いと言い得ることになる。
【００２７】
なお、バトン線樋６は、いわゆる本体に照明器具Ｓなどへの通電を可能にする多数のプラグ６１を吊持してなると共に、図示しないが、本体の内側空間にプラグ６１を接続させるリード線などを収容するとしており、特に、この発明にあっては、後述する感圧手段４に電気的に接続するリード線の収容を可能にするとしている。
【００２８】
ところで、ガイド部材３は、図示するところでは、緊締型の吊りバンド３１を利用して主バトン１を吊持するとしているが、要は、主バトン１を所定の高さ位置に水平状態に配在させる限りには、任意の構成が採用されて良い。
【００２９】
ただ、主バトン１は、照明器具Ｓなどを吊持させるとし、しかも、この照明器具Ｓなどがいわゆる指向性を持つことを鑑みると、ガイド部材３は、上記したように緊締型に形成されるなどして主バトン１の回動を阻止する態様にこれを吊持する構成とされるのが好ましいと言い得るであろう。
【００３０】
また、このガイド部材３は、この発明にあって、上端面に感圧手段４を定着させるとしており、そのための平坦面を上端に有する構成とされるとし、図示するところでは、断面を矩形にする角パイプ３２からなり、その上端面たる平坦面に感圧手段４を有してなるとしている。
【００３１】
以上からすれば、ガイド部材３は、上端面に感圧手段４を定着させ得る限りには、任意の構成とされて良いことになるが、前記したように主バトン１を吊持すること、および、感圧手段４を介してであるが、渡しバトン２の架け渡しを可能にすることを鑑みると、たとえば、チェーンやワイヤなどの可撓性に富む構成からなるのは回避されるべきであろう。
【００３２】
また、このガイド部材３は、バトン装置における総重量のいたずらな増大化を回避する上からは、パイプ体からなる他に、たとえば、ハニカム構造のフレーム体からなるとされても良いと言い得る。
【００３３】
次に、感圧手段４は、図示するところでは、テープスイッチからなるとしていて、前記したように、ガイド部材３の上端面に定着されていて、その上端面に作用する荷重でいわゆるスイッチオンするとしている。
【００３４】
すなわち、渡しバトン２は、図示するところでは、図２に示すように、両端部にフック状の掛け金具２１を溶接などで一体に有していて、この掛け金具２１をガイド部材３の上端面に引掛けるようにするとき、この掛け金具２１が感圧手段４たるテープスイッチに接触してこれを押圧するとしている。
【００３５】
そして、渡しバトン２が掛け金具２１を介してテープスイッチに接触してこれを押圧していることは、テープスイッチに接続するリード線を介して、たとえば、コントローラで知り得ることになる。
【００３６】
そしてまた、テープスイッチは、所定の荷重が作用するときにスイッチオンするように構成されているから、仮に渡しバトン２が正確にガイド部材３に、すなわち、このテープスイッチに接触していないときには、スイッチオンしないことになり、したがって、渡しバトン２が正確にガイド部材３に連繋されていないことを機械的手段で明確に知り得ることになる。
【００３７】
以上のように、この発明にあっては、照明器具Ｓなどが吊持されているバトン装置の下方から渡しバトン２が所定の通りにガイド部材３に架け渡されているか否かを技術者によるなどして確認する、すなわち、技術者などの人の目に頼って確認する必要がなくなり、その結果、主バトン１と渡しバトン２とでグリットＧを形成して照明器具Ｓなどの吊持場所を増やすときに、渡しバトン２が確実に架け渡されている状態を容易に確認できて、渡しバトン２の安全な利用状態を実現できることになる。
【図面の簡単な説明】
【００３８】
【図１】この発明によるバトン装置を部分的に示す斜視図である。
【図２】渡しバトンがガイド部材に架け渡されている状態を示す拡大部分図である。
【符号の説明】
【００３９】
１  主バトン
２  渡しバトン
３  ガイド部材
４  感圧手段
５  吊り部材
Ｇ  グリッド
Ｓ  照明器具
【図１】
2006318727.tif 000003
【図２】
2006318727.tif 000004